(57)【要約】【課題】簡素な構造で実現することができる通気屋根の構造等を提供する。【解決手段】野地板４の下面側に取り付けられた垂木５が、熱反射膜６を介して母屋２に取り付けられ、野地板４と熱反射膜６との間の垂木５…間を屋根通気用の通気部７とし、該通気部７と小屋裏８とが熱反射膜６によって仕切られている。熱反射膜６を下面側に取り付けた床パネル３を用いて施工すると、その構造を施工容易に実現することができる。【選択図】      図１
2006283368.tif 000002
【特許請求の範囲】
【請求項１】
野地板の下面側に取り付けられた垂木が、熱反射膜を介して母屋に取り付けられ、野地板と熱反射膜との間の垂木間を屋根通気用の通気部とし、該通気部と小屋裏とが前記熱反射膜によって仕切られていることを特徴とする通気屋根の構造。
【請求項２】
軒下に小屋裏換気用の給気口が設けられると共に、棟部に小屋裏換気用の排気口が設けられ、小屋裏内が前記給気口から排気口に向かう空気で換気されるようなされており、かつ、該空気の一部が熱反射膜の軒側先端部で通気部に入り込み、熱反射膜の棟側先端部で前記小屋裏の空気と合流し、前記排気口を通じて外に排気されるようになされている請求項１に記載の通気屋根の構造。
【請求項３】
前記熱反射膜を第１熱反射膜とし、第１反射膜と野地板との間の中間高さ位置に少なくとも一つの第２熱反射膜が設けられ、該第２熱反射膜によって、垂木間の通気部が上下方向において分割されている請求項１又は２に記載の通気屋根の構造。
【請求項４】
野地板と、その下面に取り付けられた垂木と、垂木の下面側に取り付けられた熱反射膜とを備え、野地板と熱反射膜との間の垂木間を屋根通気用の通気部とした屋根パネルを用い、該屋根パネルを母屋上に設置することを特徴とする通気屋根の施工方法。
【請求項５】
野地板と、その下面に取り付けられて母屋上に設置される垂木と、垂木の下面側に取り付けられた熱反射膜とが備えられ、該熱反射膜と野地板との間の垂木間を屋根通気用の通気部としていることを特徴とする屋根パネル。
【発明の詳細な説明】
【技術分野】
【０００１】
本発明は、通気屋根の構造、その施工方法及び屋根パネルに関する。
【背景技術】
【０００２】
従来より、野地板の上に熱反射膜が敷かれ、その上に第２の垂木が取り付けられ、その上に第２の野地板が取り付けられて、上下の野地板間の第２垂木間を屋根通気のための通気部とした通気屋根は、従来より知られているが、この構造の通気屋根では、通気部確保のために垂木と野地板をダブルで備えさせており、構造が複雑で無駄が多いという問題がある。また、小屋裏換気との兼ね合いが難しいという問題もある。
【発明の開示】
【発明が解決しようとする課題】
【０００３】
本発明は、上記のような問題点に鑑み、簡素な構造で実現することができる通気屋根の構造等を提供することを課題とする。
【課題を解決するための手段】
【０００４】
上記の課題は、野地板の下面側に取り付けられた垂木が、熱反射膜を介して母屋に取り付けられ、野地板と熱反射膜との間の垂木間を屋根通気用の通気部とし、該通気部と小屋裏とが前記熱反射膜によって仕切られていることを特徴とする通気屋根の構造によって解決される。
【０００５】
この構造では、垂木と母屋との間に熱反射膜が備えられ、該熱反射膜と野地板との間の垂木間を屋根通気用の通気部としているので、第２の垂木や第２の野地板が必要でなく、簡素な構造で通気屋根を実現することができる。
【０００６】
上記の構造において、軒下に小屋裏換気用の給気口が設けられると共に、棟部に小屋裏換気用の排気口が設けられ、小屋裏内が前記給気口から排気口に向かう空気で換気されるようなされており、かつ、該空気の一部が熱反射膜の軒側先端部で通気部に入り込み、熱反射膜の棟側先端部で前記小屋裏の空気と合流し、前記排気口を通じて外に排気されるようになされているとよい。
【０００７】
即ち、屋根通気用の通気部と小屋裏とは熱反射膜で仕切られており、該熱反射膜の軒側先端部を軒下の給気口よりも棟側に控えさせ、棟側先端部を棟側の排気口よりも軒側に控えさせるだけで、小屋裏換気用の給気口と排気口とを屋根通気用の空気の入口、出口とすることができ、屋根通気と小屋裏換気とをうまい具合に融合させて、そのどちらをも簡素な構造で屋根に組み込むことができる。
【０００８】
また、上記の構造において、前記熱反射膜を第１熱反射膜とし、第１反射膜と野地板との間の中間高さ位置に少なくとも一つの第２熱反射膜が設けられ、該第２熱反射膜によって、垂木間の通気部が上下方向において分割されているのもよい。
【０００９】
この場合は、日射エネルギーで高温となりやすい上側の空気が、下側の空気による干渉を受けて上昇気流の強さを弱めてしまうのを、第２熱反射膜が遮断して防ぎ、上側の空気が、強い上昇気流を生じさせることができて、受け取った日射エネルギーを効率良く通気層から外に排出することができる。
【００１０】
また、本発明は、野地板と、その下面に取り付けられた垂木と、垂木の下面側に取り付けられた熱反射膜とを備え、野地板と熱反射膜との間の垂木間を屋根通気用の通気部とした屋根パネルを用い、該屋根パネルを母屋上に設置することを特徴とする通気屋根の施工方法を含む。
【００１１】
更に、野地板と、その下面に取り付けられて母屋上に設置される垂木と、垂木の下面側に取り付けられた熱反射膜とが備えられ、該熱反射膜と野地板との間の垂木間を屋根通気用の通気部としていることを特徴とする屋根パネルを含む。
【００１２】
即ち、この施工方法、屋根パネルによれば、現場での施工において、熱反射膜を、それ単独で母屋の上に設置する施工を行う必要がなく、屋根パネルを母屋の上に設置するだけ、熱反射膜を垂木と母屋との間に配置することができ、その位置への熱反射膜の施工を極めて容易に行うことができる。
【発明の効果】
【００１３】
本発明は、以上のとおりのものであるから、通気屋根を簡素な構造で実現することができ、また、小屋裏換気と屋根通気とを簡素な構造で併設でき、また、日射エネルギーを効率良く通気層から外に排出でき、施工も容易に行うことができる。
【発明を実施するための最良の形態】
【００１４】
次に、本発明の実施最良形態を図面に基づいて説明する。
【００１５】
図１及び図２に示す第１実施形態の通気屋根１において、２は母屋、３は屋根パネルであり、屋根パネル３は、図２（ロ）（ハ）に示すように、野地板４と、その下面に取り付けられた垂木５と、垂木５の下面側に取り付けられた例えばアルミニウム蒸着フィルムなどからなる熱反射膜６とで一体化して構成されたもので、熱反射膜６と野地板４との間の垂木５…間を屋根通気用の通気部７…としている。
【００１６】
そして、通気屋根１は、この屋根パネル３を、図１（イ）（ロ）に示すように、通常の屋根パネルと同様に、母屋２の上に設置するだけで形成され、この設置によって、熱反射膜６は、垂木５と母屋２との間に介設された状態となり、図１（ロ）に記すように、小屋裏８と熱反射膜６一枚で仕切られた屋根通気用の通気部７が形成される。
【００１７】
そして、図２（イ）に示すように、通気屋根１には、軒下９に小屋裏換気用の給気口１０が設けられると共に、棟部１１に小屋裏換気用の排気口１２が設けられ、小屋裏８内が給気口１０から排気口１２に向かう空気で換気されるようなされているだけでなく、熱反射膜６の軒側先端部が軒下の給気口１０よりも棟側に控えると共に、棟側先端部が棟側の排気口１２よりも軒側に控え、それにより、軒下給気口１０から小屋裏８に入った屋外の空気が、熱反射膜６の軒側先端部の位置で、通気部７の側と小屋裏８側とに分かれ、分かれたそれぞれが通気部７の側、小屋裏８側を流れて、熱反射膜６の棟側先端部で合流し、棟排気口１２を通じて外に排出するようになされて、小屋裏換気用の給気口１０と排気口１２とが屋根通気用の空気の入口、出口として兼用して用いられる構造になっている。
【００１８】
なお、通気部７では、図１（ハ）に示すように、熱反射膜６で反射された日射エネルギーが通気部７内の空気の温度を上昇させ、上昇気流を生じて、軒側から棟側に向かう空気の流れを生じて、日射で屋根が高温になるのを防ぐように働く。
【００１９】
このように上記の通気屋根の構造、その施工方法及び屋根パネルによれば、垂木５と母屋２との間に熱反射膜６が備えられて、熱反射膜６と野地板４との間の垂木５…間を屋根通気用の通気部７としているので、従来のような第２の垂木や第２の野地板が必要でなく、簡素な構造で通気屋根を実現することができる。
【００２０】
しかも、熱反射膜６の軒側先端部を軒下の給気口１０よりも棟側に控えさせ、棟側先端部を棟側の排気口１２よりも軒側に控えさせるだけの簡素な構造で、小屋裏換気用の給気口１０と排気口１２とを屋根通気用の空気の入口、出口としており、屋根通気と小屋裏換気とをうまい具合に融合させて、そのどちらをも簡素な構造で屋根に組み込むことができる。
【００２１】
また、垂木５と母屋２との間に熱反射膜６を設ける方法として、垂木５…の下に熱反射膜６を取り付けた屋根パネル３を用い、これを母屋２のに設置するという方法を採用しているので、現場での施工において、熱反射膜６を、それ単独で母屋２の上に設置する施工を行う必要がなく、屋根パネル３を母屋２の上に設置するだけ、熱反射膜６を垂木５と母屋２との間に配置することができて、その位置への熱反射膜６の施工を極めて容易に行うことができる。
【００２２】
図３に示す第２実施形態の通気屋根１は、垂木５と母屋２との間に設置される熱反射膜６を第１熱反射膜とし、該第１熱反射膜６と野地板４との間の中間高さ位置に一つの第２熱反射膜１３が、隣り合う垂木５…にわたすようにして設けられ、該第２熱反射膜１３によって、垂木５…間の通気部が上下方向において２つの通気部７ａ，７ｂに分割されているものである。なお、垂木５の高さ寸法や日射の強さなどによっては、上下方向に３つ以上の通気部を複数の第２熱反射膜で形成するようにしてもよい。
【００２３】
この通気屋根１によれば、日射エネルギーで高温となりやすい上側の通気部７の空気が、下側の通気部７の空気による干渉を受けて上昇気流の強さを弱めてしまうのを、第２熱反射膜６が遮断して防ぎ、上側の通気層７ａの空気が、強い上昇気流を生じさせることができて、受け取った日射エネルギーを効率良く通気層から外に排出することができる。
【００２４】
以上に、本発明の実施形態を示したが、本発明はこれに限られるものではなく、発明思想を逸脱しない範囲で各種の変更が可能である。例えば、上記の実施形態では、熱反射膜の例としてアルミニウム蒸着フィルムが挙げられているが、これに限らず、その他の同様の機能を持った膜材が用いられていてもよい。
【図面の簡単な説明】
【００２５】
【図１】第１実施形態を示すもので、図（イ）及び図（ロ）は施工方法を順次に示す断面正面図、図（ハ）は通気部における遮熱の作動状態を示すもので、図２（イ）のＡ部拡大詳細断面正面図である。
【図２】図（イ）は小屋裏換気と屋根通気とを併せもった通気屋根の構造を概略的に示す正面図、図（ロ）は熱反射膜が備えられた屋根パネルの透視図、図（ハ）は同屋根パネルの分解斜視図である。
【図３】第２実施形態を示すもので、図（イ）は屋根パネルの透視図、図（ロ）は同屋根パネルの設置状態を示す断面正面図、図（ハ）は通気部における遮熱の作動状態を示す断面正面図である。
【符号の説明】
【００２６】
１…通気屋根
２…母屋
３…屋根パネル
４…野地板
５…垂木
６…熱反射膜
７…通気部
７ａ…上通気部
７ｂ…下通気部
８…小屋裏
１０…給気口
１２…排気口
１３…第２熱反射膜
【図１】
2006283368.tif 000003
【図２】
2006283368.tif 000004
【図３】
2006283368.tif 000005